(57)【要約】【課題】仕掛け糸の着脱が簡単であり、仕掛け糸に対する交換性にも優れた釣針を提供する。【解決手段】直線状の線材の一端を、仕掛け糸Ｌ１を挟着可能なように折返して形成した第１の挟持部１と、第１の挟持部１と離間して、線材の他端を仕掛け糸Ｌ１とは別の仕掛け糸Ｌ２を挟着可能なように折返して形成した第２の挟持部２と、第１の挟持部１と第２の挟持部２との少なくとも一方の折返し端を、第１の挟持部１と第２の挟持部２との間に延設してさらに折り曲げて形成した針部４と、を具備した構成とした。【選択図】図１
2011250710.tif 000002
【特許請求の範囲】
【請求項１】
直線状の線材の一端を、仕掛け糸を挟着可能なように折返して形成した第１の挟持部と、
前記第１の挟持部と離間して、前記線材の他端を前記仕掛け糸とは別の仕掛け糸を挟着可能なように折返して形成した第２の挟持部と、
前記第１の挟持部と前記第２の挟持部との少なくとも一方の折返し端を、前記第１の挟持部と前記第２の挟持部との間に延設してさらに折り曲げて形成した針部と、
を具備したことを特徴とする釣針。
【請求項２】
前記第１の挟持部および前記第２の挟持部の前記折返しの近傍にそれぞれ設けられ、前記線材の直線部の途中部分を軸線方向と交差する方向へ曲線状に折り曲げて形成した糸挿入部を備え、
前記各糸挿入部は、前記直線部の軸線方向から見て、前記直線部の同じ側に配設されていることを特徴とする請求項１に記載の釣針。
【請求項３】
前記第１の挟持部および前記第２の挟持部の前記折返しの近傍にそれぞれ設けられ、前記線材の直線部の途中部分を軸線方向と交差する方向へ曲線状に折り曲げて形成した糸挿入部を備え、
前記各糸挿入部は、前記直線部の軸線方向から見て、前記直線部の周りに相互に略９０度ずらして配設されており、
前記針部は、一方の前記糸挿入部の近傍に設けられ、前記直線部の軸線方向から見て、一方の前記糸挿入部に対して、前記直線部の周りに略９０度ずらして配設されていることを特徴とする請求項１に記載の釣針。
【請求項４】
前記第１の挟持部および前記第２の挟持部の少なくとも一方の折返し部は、前記折返し部における前記線材に沿って接する仮想面に直交する方向に向けて傾斜形成されていることを特徴とする請求項１から請求項３のいずれか１項に記載の釣針。
【発明の詳細な説明】
【技術分野】
【０００１】
本発明は、釣針に関し、特に鮎の友釣りに使用して好適な逆針として用いることのできる釣針に関する。
【背景技術】
【０００２】
一般に、鮎の友釣り用仕掛けは、おとり鮎の鼻孔に差し込む鼻環と、おとり鮎の腹部や尾側に引っ掛ける逆針と、この逆針と鼻環との間に接続された仕掛け糸としての中ハリスと、逆針に設けられたハリス止め部材に連結された仕掛け糸としてのハリスと、このハリスの先端に止着されたイカリ状の針と、で構成されている。そして、鼻環に道糸を接続して水中におとり鮎を放している。
【０００３】
従来、このような仕掛けにおいて、逆針に中ハリスを固定する際には、例えば、逆針に中ハリスを重ねた状態にして根巻き糸でこれらを巻き付けることにより行っていた（例えば、特許文献１参照）。
なお、逆針とハリス止め部材が別体とされたものにおいては、逆針とハリス止め部材との基端側をそれぞれ重ね、これに中ハリスをさらに重ねた状態にして、これらを根巻き糸で巻き付けることにより、これらを固定していた。
【先行技術文献】
【特許文献】
【０００４】
【特許文献１】実開昭６３−１９６９７２号公報
【発明の概要】
【発明が解決しようとする課題】
【０００５】
前記した従来の仕掛けに用いる逆針等の釣針では、いずれも、中ハリス等の仕掛け糸を根巻き糸の巻き付けによって固定するものであるため、仕掛け糸の着脱や仕掛け糸の交換、さらには仕掛け糸に対する釣針の交換にも手間がかかっていた。
また、仕掛け糸の固定後、仕掛け糸に対する逆針の位置を変更する際には、根巻き糸をいちいち切断して除去し、再度巻き付け直す必要があり、煩雑であった。
【０００６】
本発明は、このような問題を解決するためになされたものであり、仕掛け糸の着脱が簡単であり、仕掛け糸に対する交換性にも優れた釣針を提供することを課題とする。
【課題を解決するための手段】
【０００７】
このような課題を解決する本発明の釣針は、直線状の線材の一端を、仕掛け糸を挟着可能なように折返して形成した第１の挟持部と、前記第１の挟持部と離間して、前記線材の他端を前記仕掛け糸とは別の仕掛け糸を挟着可能なように折返して形成した第２の挟持部と、前記第１の挟持部と前記第２の挟持部との少なくとも一方の折返し端を、前記第１の挟持部と前記第２の挟持部との間に延設してさらに折り曲げて形成した針部と、を具備したことを特徴とする。
【０００８】
この釣針によれば、直線状の線材の一端と他端とを折返して形成した第１の挟持部および第２の挟持部に、例えば、仕掛け糸としての中ハリスや、これとは別の仕掛け糸としてのハリス等をそれぞれ挟着することができる。
そして、第１の挟持部と第２の挟持部との少なくとも一方の折返し端を、第１の挟持部と第２の挟持部との間に延設してさらに折り曲げて形成した針部を、例えば、逆針として用いることができる。
【０００９】
また、本発明は、前記第１の挟持部および前記第２の挟持部の前記折返しの近傍にそれぞれ設けられ、前記線材の直線部の途中部分を軸線方向と交差する方向へ曲線状に折り曲げて形成した糸挿入部を備え、前記各糸挿入部は、前記直線部の軸線方向から見て、前記直線部の同じ側に配設されていることを特徴とする。
【００１０】
この釣針によれば、線材の直線部の途中部分を軸線方向と交差する方向へ曲線状に折り曲げて形成した各糸挿入部に、仕掛け糸をそれぞれ挿入し、これを第１の挟持部および第２の挟持部に導入して仕掛け糸を挟着することができる。
また、各糸挿入部が、直線部の軸線方向から見て、直線部の同じ側に配設されているので、各糸挿入部に仕掛け糸を挿入する際には、例えば、釣針の姿勢を変えずに同じ側から挿入を行うことができる。
【００１１】
また、本発明は、前記第１の挟持部および前記第２の挟持部の前記折返しの近傍にそれぞれ設けられ、前記線材の直線部の途中部分を軸線方向と交差する方向へ曲線状に折り曲げて形成した糸挿入部を備え、前記各糸挿入部は、前記直線部の軸線方向から見て、前記直線部の周りに相互に略９０度ずらして配設されており、前記針部は、一方の前記糸挿入部の近傍に設けられ、前記直線部の軸線方向から見て、一方の前記糸挿入部に対して、前記直線部の周りに略９０度ずらして配設されていることを特徴とする。
【００１２】
この釣針によれば、前記のように構成されているので、次のように作用する。
すなわち、釣針に仕掛け糸を挟着する際には、一方の、例えば、第２の挟持部を摘む指先で、横向きにされた針部を上下方向から一緒に摘むことができる。
また、その際、第２の挟持部を摘むと、指先の腹部分に、第２の挟持部の折返しの近傍に設けられた糸挿入部が略垂直に突き当たる状態となり、これが抵抗となって、摘んだ指先が滑り難くなる。
一方、第２の挟持部に仕掛け糸を挟着するために、第１の挟持部を保持する際には、第１の挟持部の折返しの近傍に設けられた糸挿入部を側方から指で平らに摘むようにすることで、第２の挟持部側にある針部の突出方向を、下向き方向や操作者と反対側となる方向に向けることができる。
【００１３】
また、本発明は、前記第１の挟持部および前記第２の挟持部の少なくとも一方の折返し部は、前記折返し部における前記線材に沿って接する仮想面に直交する方向に向けて傾斜形成されていることを特徴とする。
【００１４】
この釣針によれば、折返し部における線材に沿って接する仮想面に直交する方向に向けて、折返し部が傾斜形成されているので、その傾斜を利用して釣針の軸線方向に向けて仕掛け糸を略まっすぐに挟着することができる。
【発明の効果】
【００１５】
本発明によれば、直線状の線材の軸線方向において針部の両側に配設されることとなる、第１の挟持部および第２の挟持部に対して、仕掛け糸としての中ハリスやハリス等をそれぞれ挟着することができるので、仕掛け糸の着脱性に優れ、仕掛け糸に対する釣針の交換性に優れる。
また、仕掛け糸の着脱性に優れるので、仕掛け糸に対する釣針の位置変更を簡単に行うことができる。
また、針部の両側において仕掛け糸がそれぞれ挟着される構成であるので、仕掛け糸とこれとは別の仕掛け糸との間に、安定的に釣針を介在させることができ、仕掛け糸を挟着して接続したときのバランス性に優れている。
【００１６】
また、針部は、第１の挟持部と第２の挟持部との少なくとも一方の折返し端を、第１の挟持部と第２の挟持部との間に延設してさらに折り曲げることで形成されているので、１本の線材によって第１の挟持部、第２の挟持部および針部を形成することができる。つまり、一連の加工の流れのなかでこれらを形成することができ、構成がシンプルであるとともに形成が簡単である。また、部材同士の接続加工を別途必要としないので、生産性に優れる。
また、１本の線材によって形成されるので、従来のように根巻き糸等を巻き付けることにより部材同士を固定するようにしたものに比べて、所望の剛性、強度を容易に確保することができる。
【００１７】
また、各糸挿入部が、直線部の軸線方向から見て、直線部の同じ側に配設されている構成では、例えば、釣針の姿勢を変えずに各糸挿入部に仕掛け糸をそれぞれ挿入することができるので、第１の挟持部および第２の挟持部への仕掛け糸の挟着が行い易い。したがって、仕掛け糸の着脱性に優れ、仕掛け糸に対する交換性にも優れた釣針が得られる。
【００１８】
また、各釣糸挿入部が、直線部の軸線方向から見て、直線部の周りに相互に略９０度ずらして配設されており、さらに、針部が、一方の糸挿入部の近傍に設けられ、直線部の軸線方向から見て、一方の糸挿入部に対して、直線部の周りに略９０度ずらして配設されている構成では、釣針に仕掛け糸を挟着する際に、一方の、例えば、第２の挟持部を摘む指先で、横向きにされた針部を上下方向から一緒に摘むことができるので、仕掛け糸の挟着が行い易い。
また、その際、第２の挟持部を摘むと、指先の腹部分に、第２の挟持部の折返しの近傍に設けられた糸挿入部が略垂直に突き当たる状態となり、これが抵抗となって、摘んだ指先が滑り難くなるので、第２の挟持部側を安定的に保持しながら仕掛け糸の挟着を行うことができる。
一方、第２の挟持部に仕掛け糸を挟着するために、第１の挟持部を保持する際には、第１の挟持部の折返しの近傍に設けられた糸挿入部を側方から指で平らに摘むようにすることで、第２の挟持部側にある針部の突出方向を、下向き方向や操作者と反対側となる方向に向けることができるので、針部で指先等を傷めることを好適に回避しつつ、仕掛け糸の挟着を好適に行うことができる。
したがって、仕掛け糸の着脱性に優れ、仕掛け糸に対する交換性にも優れた釣針が得られる。
【００１９】
また、折返し部における線材に沿って接する仮想面に直交する方向に向けて、折返し部が傾斜形成されている構成では、その傾斜を利用して釣針の軸線方向に向けて仕掛け糸を略まっすぐに挟着することができるので、仕掛け糸が取り回される方向に糸ぐせや糸折れが生じるのを少なくすることができる。
【図面の簡単な説明】
【００２０】
【図１】本発明の第１実施形態に係る釣針を示した斜視図である。
【図２】（ａ）は正面図、（ｂ）は平面図、（ｃ）は下面図、（ｄ）は左側面図、（ｅ）は右側面図である。
【図３】（ａ）〜（ｍ）は本発明の第１実施形態に係る釣針の加工工程を示した説明図である。
【図４】（ａ）は本発明の第１実施形態に係る釣針を用いた仕掛け例を示した図、（ｂ）は同じく仕掛けの使用例を示した説明図、（ｃ）は同じく仕掛けのその他の使用例を示した説明図である。
【図５】本発明の第２実施形態に係る釣針を示した斜視図である。
【図６】（ａ）は正面図、（ｂ）は平面図、（ｃ）は下面図、（ｄ）は左側面図、（ｅ）は右側面図である。
【図７】（ａ）〜（ｈ）は本発明の第２実施形態に係る釣針の加工工程を示した説明図である。
【図８】（ａ）（ｂ）は仕掛け糸を挟着する際の様子を示した説明図である。
【図９】（ａ）（ｂ）は変形例の釣針を示す斜視図である。
【図１０】（ａ）（ｂ）は変形例の釣針を示す斜視図である。
【発明を実施するための形態】
【００２１】
以下、本発明に係る釣針の実施の形態について図面を参照しながら説明する。各実施形態において、同一の部分には同一の符号を付し、重複する説明は省略する。なお、説明において、「前後」、「左右」、「上下」をいうときは、図１に示した方向を基準としている。
【００２２】
（第１実施形態）
図１に示すように、本実施形態の釣針Ｈは、直線状の線材１０（図３参照）の一端を、仕掛け糸Ｌ１を挟着可能なように折返して形成した第１の挟持部１と、第１の挟持部１と離間して、線材１０（図３参照）の他端を、仕掛け糸Ｌ１とは別の仕掛け糸Ｌ２を挟着可能なように折返して形成した第２の挟持部２と、を備えており、第１の挟持部１の折返し端が第１の挟持部１と第２の挟持部２との間に延設され、さらにこれが折り曲げられて針部４が設けられている。
つまり、釣針Ｈは、２つの自動ハリス止めとして機能する第１の挟持部１と第２の挟持部２とを有しており、これらの第１の挟持部１と第２の挟持部２とが、直線部３の両端部となる左右側方部位に配設されており、これらの間に位置するように針部４が配設された構成を有している。
【００２３】
このような構成を有する釣針Ｈは、後記するように１本の線材からなり、１本の線材を折り曲げ加工することで製造可能である。つまり、第１の挟持部１、第２の挟持部２および針部４は、いずれも、１本の線材を折り曲げ加工する工程の流れのなかで形成されるようになっている。
【００２４】
次に、図１、図２各図を参照して各部を詳細に説明する。
第１の挟持部１は、直線部３の左端部に配設されており、直線状の線材の一端を折返すことで形成されている。折返し部分には、線材同士を対向（当接）させてなる、スリット状の挟持孔１ａが形成されており、この挟持孔１ａに仕掛け糸Ｌ１を挟むことで、第１の挟持部１に仕掛け糸Ｌ１が挟着可能となっている。
また、第２の挟持部２は、直線部３の右端部に配設されており、直線状の線材の他端を折返すことで形成されている。折返し部分には、線材同士を対向（当接）させてなる、スリット状の挟持孔２ａが形成されており、この挟持孔２ａに仕掛け糸Ｌ２を挟むことで、第２の挟持部２に仕掛け糸Ｌ２が挟着可能となっている。
【００２５】
直線部３は、中央部分に３本の線材部３ａ，３ｂ，３ｃが重ね合わされてなり、線材部３ａの下には、線材部３ｂが重ね合わされ、線材部３ａの後方には線材部３ｃが重ね合わされている。本実施形態では、これらを溶接Ｗによって相互に固着している（図３（ｍ）参照）。
線材部３ａは、第１の挟持部１と第２の挟持部２とを接続している主軸であり、線材部３ａにおける、第１の挟持部１の折返しの近傍には、糸挿入部５が設けられ、また、第２の挟持部２の折返しの近傍には、糸挿入部６が設けられている。
【００２６】
糸挿入部５，６は、いずれも、直線部３（線材部３ａ）の途中部分を軸線方向と交差する方向に曲線状に折り曲げて形成されており、その内側には、仕掛け糸Ｌ１，Ｌ２の端部を挿入可能な開口５ａ，６ａが形成されている。本実施形態では、２つの糸挿入部５，６が、針部４と反対方向となる上方向に折り曲げられて形成されている。つまり、糸挿入部５，６は、直線部３（線材部３ａ）の軸線方向から見て、図２（ｄ）（ｅ）に示すように、線材部３ａの同じ側で、かつ、線材部３ａの軸線方向から見て、図示しない軸線を挟んで針部４と反対側に配設されている。なお、糸挿入部５，６は、軸線方向から見て、重なり合うように配設されている。
【００２７】
糸挿入部５の開口５ａは、第１の挟持部１の挟持孔１ａに連通しており、仕掛け糸Ｌ１の挟着時には、開口５ａに挿入した仕掛け糸Ｌ１を挟持孔１ａに向けて引っ張ることにより、開口５ａから挟持孔１ａに仕掛け糸Ｌ１が導かれて（入り込んで）、挟持孔１ａに挟持されるようになっている。また、これと同様に、糸挿入部６の開口６ａは、第２の挟持部２の挟持孔２ａに連通しており、仕掛け糸Ｌ２の挟着時には、開口６ａに挿入した仕掛け糸Ｌ２を挟持孔２ａに向けて引っ張ることにより、開口６ａから挟持孔２ａに仕掛け糸Ｌ２が導かれて（入り込んで）、挟持孔１ａに挟持されるようになっている。
なお、糸挿入部５，６は、上方向へ曲線状に折り曲げて形成したが、これに限られることはなく、前方向へ曲線状に折り曲げて形成してもよいし、これとは反対側となる後方向へ曲線状に折り曲げて形成してもよい。
【００２８】
線材部３ｂは、第１の挟持部１を形成した線材の折返し端を、線材部３ａに沿って第１の挟持部１と第２の挟持部２との間に延設してなり、端部に針部４を有している。本実施形態では、糸挿入部６の開口６ａに亘って線材部３ｂの先端部が位置するように線材部３ｂの長さが設定されている。なお、線材部３ｂの長さは、糸挿入部６の開口６ａに必ずしも達する必要はなく、例えば、直線部３の略左右中央部分に達する程度の長さとしてもよい。なお、直線部３の略左右中央部分に達する程度の長さとした場合には、直線部３の略左右中央部分の下方に針部４が配設されることとなるので、仕掛け糸Ｌ１，Ｌ２を挟着する際に、後記するように指先で針部４を側方から平らに摘む場合には、針部４が指先で隠れる程度に深く摘むことで、安定的に釣針Ｈを保持することができる。
【００２９】
線材部３ｃは、第２の挟持部２を形成した線材の折返し端を、線材部３ａに沿って第１の挟持部１と第２の挟持部２との間に延設してなり、糸挿入部５の近傍まで端部が延設されて線材部３ａの後方に重ね合わされている。
【００３０】
針部４は、線材部３ｂの端部を線材部３ｂの延設方向と逆方向にさらに折り曲げて形成されており、先端に向けて先細り形状とされている。このような針部４は、図２（ａ）に示すように、第２の挟持部２の近傍の糸挿入部６の下方に突出するように配設されている。
【００３１】
次に、釣針Ｈの加工工程について図３各図を参照して説明する。
前記したように釣針Ｈは、１本の直線状の線材からなり、この線材を折り曲げ加工することにより得られる。なお、加工時の折り曲げ方向については、図１に示した方向を参照する。
図３（ａ）に示すように、線材１０は、折り曲げ加工可能な材料からなる金属製の円柱状の線材であり、基端１０ａが棒状で先端１０ｂが針状に尖っている。
まず、初めに、図３（ｂ）に示すように、先端１０ｂを下方向に折り曲げて針部４を形成する。ここで、針部４は、先部に近づくにつれて、左側に向けて折り曲げられるように折曲形成する。これにより、後記するように、鮎の友釣りに用いて、おとり鮎の尾側のひれＡ１や背部Ａ２（図４（ｂ）（ｃ））に対して好適に装着することのできる逆針とすることができる。
【００３２】
その後、図３（ｃ）に示すように、線材１０の略中央部分から左側の基端１０ａ側を上方向に折り曲げ、線材の基端１０ａ側が線材部３ｂの上側に来るようにする。そして、図３（ｄ）に示すように、線材部３ａの上に基端１０ａ側を重ねる。
これにより、折返された部分で第１の挟持部１が形成され、スリット状の挟持孔１ａが形成される。
【００３３】
その後、図３（ｅ）に示すように、糸挿入部５を形成すべく、基端１０ａ側を上方向に一旦折り曲げ、その後、図３（ｆ）に示すように、下方向に湾曲させながら折り曲げる。そして、図３（ｇ）に示すように、基端１０ａ側を上方向に再び折り曲げて、基端１０ａ側を線材部３ｂの上に重ねる。
これにより、第１の挟持部１の近傍に糸挿入部５が開口５ａを有する状態に形成される。
【００３４】
その後、図３（ｈ）に示すように、糸挿入部６を形成すべく、直線状の線材部３ａを線材部３ｂに重ねた状態において、基端１０ａ側を上方向に一旦折り曲げる。そして、図３（ｉ）に示すように、下方向に基端１０ａ側を湾曲させながら折り曲げる。そして、図３（ｊ）に示すように、基端１０ａ側を上方向に再び折り曲げて、基端１０ａ側を線材部３ｂの上に重ねる。これにより、線材部３ｂの図示しない軸線を挟んで針部４が配設される側と反対側に２つの糸挿入部５，６を設けることができる。
【００３５】
その後、図３（ｋ）に示すように、基端１０ａ側を後方向に折り曲げつつ、図３（ｌ）に示すように、線材部３ａの後側に折返し、基端１０ａ側を線材部３ａの後側に重ね合わせる。これにより、折返された部分で第２の挟持部２が形成され、スリット状の挟持孔２ａが形成される。
【００３６】
そして、最後に、線材部３ａ，３ｂ，３ｃの間を溶接Ｗによって相互に固着し、これらによって直線部３を形成する。なお、溶接Ｗは直線部３の軸線方向に複数箇所行ってもよい。
以上の工程を経ることによって、第１の挟持部１、第２の挟持部２、糸挿入部５，６および針部４を備えた釣針Ｈを製造することができる。
【００３７】
次に、釣針Ｈを用いた仕掛けの例について、鮎の友釣り用の仕掛けについて説明する。
図４（ａ）に示すように、釣針Ｈは、逆針として使用しており、第１の挟持部１に仕掛け糸Ｌ１としてのハリス２３を挟着し、第２の挟持部２に仕掛け糸Ｌ２としての中ハリス２１を挟着している。
ハリス２３を第１の挟持部１に挟着する際には、例えば、これとは反対側となる第２の挟持部２側を、前後方向から指先で摘むことで、指先の間に、第２の挟持部２側の糸挿入部６と針部４とを一緒に挟むようにして保持することができ、この状態で、第１の挟持部１側の糸挿入部５にハリス２３を挿通する。
【００３８】
そして、糸挿入部５に挿通したハリス２３を第１の挟持部１側に向けてスライドさせ、ハリス２３を第１の挟持部１の挟持孔１ａに導くように引っ張る。このようにすることで、ハリス２３が挟持孔１ａに挟み込まれ、ハリス２３が第１の挟持部１に挟着される。
また、中ハリス２１を第２の挟持部２に挟着する際には、例えば、他方の手の指先で第１の挟持部１側を前後方向から摘むことで、指先の間に、第１の挟持部１側の糸挿入部５を挟むようにして保持することができ、この状態で、第２の挟持部２側の糸挿入部６に中ハリス２１を挿通する。そして、前記と同様にして、糸挿入部６に挿通した中ハリス２１を第２の挟持部２側に向けて引っ張り、中ハリス２１を挟持孔２ａに挟み込む。これにより、中ハリス２１が第２の挟持孔２ａに挟着される。
したがって、従来のように、根巻き糸を用いて中ハリスと逆針とを巻き付けるような煩わしさを一切必要とせずに、仕掛け糸Ｌ２としての中ハリス２１や仕掛け糸Ｌ１としてのハリス２３を簡単に挟着することができる。
【００３９】
なお、中ハリス２１の端部は、鼻環２２に取り付けられ、鼻環２２の近傍部位において中ハリス２１には、道糸２０が結び付けられている。また、ハリス２３の端部には、イカリ条の針２４が結び付けられている。
【００４０】
このような仕掛けは、図４（ｂ）（ｃ）に示すようにして、おとり鮎Ａに装着して使用することができる。図４（ｂ）に示した例では、釣針Ｈを尾側のひれＡ１側にのみ装着しており、針部４を尾側のひれＡ１の上の胴部に若干掛かるようにして装着している。
ここで、釣針Ｈの針部４は、第２の挟持部２側に配置されており、針部４に対する第２の挟持部２の軸線方向への突出長さが短くなっているので、前記のように装着した状態では、尾側のひれＡ１の上の胴部に対する第２の挟持部２の当たりが小さくなっている。また、前記のように装着した状態では、釣針Ｈの直線部３（図１参照）が尾側のひれＡ１の面に沿って配置される状態となるので、前記のように、第２の挟持部２の当たりが小さくなることと相俟って、釣針Ｈを安定した状態で装着することができる。
【００４１】
また、図４（ｃ）に示した例では、尾側のひれＡ１および鮎の背部Ａ２の２箇所に釣針Ｈを装着している。背部Ａ２へ装着した釣針Ｈでは、尾側のひれＡ１側と向きを変えており、第１の挟持部１には鼻環２２に通じる第１の中ハリス２１ａの端部が挟着され、第２の挟持部２には尾側のひれＡ１側の釣針Ｈに通じる第２の中ハリス２１ｂが挟着されている。
このように、釣針Ｈは、向きを変えて配設することにより、尾側のひれＡ１用と背部Ａ２用とで兼用することができる。
【００４２】
以上説明した本実施形態の釣針Ｈによれば、直線状の線材の軸線方向において針部４の両側に配設されることとなる、第１の挟持部１と第２の挟持部２とに、仕掛け糸Ｌ１としてのハリス２３や仕掛け糸Ｌ２としての中ハリス２１等をそれぞれ挟着することができるので、仕掛け糸Ｌ１，Ｌ２の着脱性に優れ、仕掛け糸Ｌ１，Ｌ２に対する交換性にも優れた釣針Ｈが得られる。
また、仕掛け糸Ｌ１，Ｌ２の着脱性に優れるので、仕掛け糸Ｌ１，Ｌ２に対する釣針Ｈの位置変更を簡単に行うことができる。
また、針部４の両側において仕掛け糸Ｌ１，Ｌ２がそれぞれ挟着される構成であるので、仕掛け糸Ｌ１と仕掛け糸Ｌ２との間に、安定的に釣針Ｈを介在させることができ、仕掛け糸Ｌ１，Ｌ２を挟着して接続したときのバランス性に優れている。
【００４３】
また、針部４は、第１の挟持部１と第２の挟持部２と折返し端を、第１の挟持部１と第２の挟持部２との間に延設してさらに折り曲げることで形成されているので、１本の線材によって第１の挟持部１、第２の挟持部２および針部４を形成することができる。つまり、一連の加工の流れのなかでこれらを形成することができ、構成がシンプルであるとともに形成が簡単である。また、部材同士の接続加工を別途必要としないので、生産性に優れる。
また、１本の線材によって形成されるので、従来のように根巻き糸等を巻き付けることにより部材同士を固定するようにしたものに比べて、所望の剛性、強度を容易に確保することができる。
【００４４】
また、各糸挿入部５，６が、直線部３の軸線方向から見て、直線部３の同じ側に配設されているので、例えば、釣針Ｈの姿勢を変えずに各糸挿入部５，６に仕掛け糸Ｌ１，Ｌ２をそれぞれ挿入することができるので、第１の挟持部１および第２の挟持部２への仕掛け糸Ｌ１，Ｌ２の挟着が行い易い。したがって、仕掛け糸Ｌ１，Ｌ２の着脱性に優れ、仕掛け糸Ｌ１，Ｌ２に対する交換性にも優れた釣針Ｈが得られる。
【００４５】
（第２実施形態）
図５は本発明の第２実施形態に係る釣針を示した斜視図、図６（ａ）は正面図、（ｂ）は平面図、（ｃ）は下面図、（ｄ）は左側面図、（ｅ）は右側面図である。
本実施形態の釣針Ｈが前記第１実施形態と異なるところは、糸挿入部５，６が、直線部３の軸線方向から見て、直線部３の周りに相互に略９０度ずらして配設されている点である。
【００４６】
具体的に、本実施形態では、糸挿入部５に対して糸挿入部６の配設方向を変更しており、糸挿入部６を、軸線方向と交差する方向となる前側へ曲線状に折り曲げて形成してある。
ここで、糸挿入部６が設けられる側には、下方向に針部４が突出するように設けられているので、糸挿入部６が前側へ曲線状に折り曲げて形成されることで、糸挿入部６と針部４とは、直線部３（線材部３ｂ）の周りに相互に略９０度ずれた位置に配設されるようになっている。つまり、糸挿入部６は、おとり鮎Ａに針部４を掛けて釣針Ｈが装着された状態で、おとり鮎Ａの尾側のひれＡ１（図４（ｂ）（ｃ）参照）の面や背部Ａ２（図４（ｃ）参照）表面に沿うように配置されることとなり、釣針Ｈの装着安定性が向上する。
なお、糸挿入部６は、後側へ曲線状に折り曲げて形成してもよい。この場合にも、糸挿入部６と針部４とが、直線部３（線材部３ｂ）の周りに相互に略９０度ずれた位置に配設される。
【００４７】
次に、本実施形態の釣針Ｈの加工工程について説明する。
なお、本実施形態の釣針Ｈは第１実施形態で説明した加工工程の図３（ａ）〜（ｇ）までの工程が同一であるので、図３（ｇ）の加工状態に相当する、図７（ａ）の加工状態から説明する。
図７（ａ）に示すように、基端１０ａ側を線材部３ｂの上に重ねた状態から、図７（ｂ）に示すように、糸挿入部６を形成すべく、基端１０ａ側を前方向に一旦折り曲げる。そして、図７（ｃ）に示すように、反対側となる後方向に基端１０ａを湾曲させながら折り曲げる。
【００４８】
そして、図７（ｄ）に示すように、基端１０ａ側を前方向に再び折り曲げて、基端１０ａ側を線材部３ｂの上に重ねる。これにより、糸挿入部６を、糸挿入部５に対して線材部３ａの周りに略９０度ずらして配設することができる。
【００４９】
その後、図７（ｅ）に示すように、基端１０ａ側を後方向に折り曲げつつ、図７（ｇ）に示すように、線材部３ａの後側に折返し、基端１０ａを線材部３ａの後側に重ね合わせる。これにより、折返された部分で第２の挟持部２が形成され、スリット状の挟持孔２ａが形成される。
【００５０】
そして、最後に、線材部３ａ，３ｂ，３ｃの間を溶接Ｗによって相互に固着し、これらによって直線部３を形成する。なお、溶接Ｗは直線部３の軸線方向に複数箇所行ってもよい。
以上の工程を経ることによって、糸挿入部５，６が、直線部３の軸線方向から見て、直線部３の周りに相互に略９０度ずらして配設された釣針Ｈを製造することができる。
【００５１】
次に、釣針Ｈに対する仕掛け糸Ｌ１，Ｌ２の挟着手順について説明する。
図８（ａ）に示すように、第１の挟持部１に仕掛け糸Ｌ１としてハリス２３を挟着する際には、例えば、図８（ａ）に示すように、針部４を横向きにしてこれを上下方向から指先Ｆ１，Ｆ２で摘むようにして第２の挟持部２側を保持する。
【００５２】
ここで、第２の挟持部２の近傍に位置する糸挿入部６は、直線部３の軸線方向から見て、線材部３ｂの周りに略９０度ずれて配設されているので、前記のように第２の挟持部２側を指先Ｆ１，Ｆ２で摘むと、下側から摘んだ指先Ｆ２の腹部分に、糸挿入部６が略垂直に突き当たる状態となる。したがって、第２の挟持部２側を指先Ｆ１，Ｆ２で摘んだ状態では、この糸挿入部６が抵抗となって指先Ｆ２に対する滑り止め部材として機能することとなる。
そして、このように保持した状態で、第１の挟持部１側の糸挿入部５にハリス２３を挿通して第１の挟持部１にハリス２３を挟着する。
これによって、第２の挟持部２側を安定的に保持しながらハリス２３の挟着を行うことができる。
【００５３】
また、図８（ｂ）に示すように、摘む指を持ち替えて、第１の挟持部１側を、糸挿入部５の前後方向（側方）から平らに指先Ｆ３，Ｆ４で摘むようにして保持する。このように保持することで、露出している側にある針部４の突出方向が下向き方向となる。
そして、このように保持した状態で、第２の挟持部２側の糸挿入部６に中ハリス２１を挿通して第２の挟持部２に中ハリス２１を挟着する。
したがって、針部４で指先Ｆ１〜Ｆ４等を傷めることを好適に回避しつつ、仕掛け糸Ｌ１，Ｌ２の挟着を好適に行うことができる。
したがって、仕掛け糸の着脱や仕掛け糸の交換に優れ、より交換性に優れた釣針が得られる。
【００５４】
以上説明した本実施形態の釣針Ｈによれば、第２の挟持部２側を指先Ｆ１，Ｆ２で摘んだ状態では、この糸挿入部６が抵抗となって指先Ｆ２に対する滑り止め部材として機能するので、第２の挟持部２側を安定的に保持しながらハリス２３の挟着を行うことができる。
また、第１の挟持部１側を、糸挿入部５を前後方向（側方）から平らに指先Ｆ３，Ｆ４で摘むようにして保持することで、露出している側にある針部４の突出方向を、下向き方向にすることが可能であるので、針部４で指先Ｆ１〜Ｆ４等を傷めることを好適に回避しつつ、仕掛け糸Ｌ２の挟着を好適に行うことができる。
したがって、本実施形態の釣針Ｈによれば、仕掛け糸Ｌ１，Ｌ２の着脱性に優れ、仕掛け糸Ｌ１，Ｌ２に対する釣針Ｈの交換性に優れる。
【００５５】
図９（ａ）（ｂ）は釣針Ｈの変形例を示した斜視図である。
図９（ａ）に示した変形例では、第１実施形態で説明した釣針Ｈを基本として、第１の挟持部１の折返し部を、前方向（線材部３ａと線材部３ｂとに沿って接する仮想面に直交する方向）に向けて傾斜形成してあり、また、第２の挟持部２の折返し部を、上方向（線材部３ａと線材部３ｃとに沿って接する仮想面に直交する方向で、針部４が配設される側と反対側となる方向）に向けて傾斜形成してある。
【００５６】
また、図９（ｂ）に示した変形例では、第２実施形態で説明した釣針Ｈを基本として、第１の挟持部１の折返し部を、前方向（線材部３ａと線材部３ｂとに沿って接する仮想面に直交する方向）に向けて傾斜形成してあり、また、第２の挟持部２の折返し部を、上方向（線材部３ａと線材部３ｃとに沿って接する仮想面に直交する方向で、針部４が配設される側と反対側となる方向）に向けて傾斜形成してある。
【００５７】
このように、第１の挟持部１および第２の挟持部２の端部を傾斜形成することによって、直線部３の軸線方向に向けて仕掛け糸Ｌ１，Ｌ２を略まっすぐに挟着することができ、仕掛け糸Ｌ１，Ｌ２が取り回される方向に糸ぐせや糸折れが生じるのを少なくすることができる。
【００５８】
なお、前記実施形態では、第１の挟持部１の折返し端を第２の挟持部２の近傍（糸挿入部６の下方）まで延設して針部４を設けたが、これに限られることはなく、図１０（ａ）に示すように、第１の挟持部１の近傍（糸挿入部５の下方周り）にて針部４を設けるようにしてもよい。
【００５９】
また、前記実施形態では、第１の挟持部１の折返し端を延設してこれに針部４を設けたが、第２の挟持部２の折返し端を延設してこれに針部４を設けてもよい。
【００６０】
また、図１０（ｂ）に示すように、第１の挟持部１の折返し端に針部４を設けるとともに、線材部３ｃが糸挿入部６の下側に配置されるように第２の挟持部２を折返して設け、この折返し端を下方向へ折り曲げて針部４’を設けてもよい。
この場合には、２つの針部４，４’を有するので、逆針として使用した場合に、おとり鮎Ａ（図４（ｂ）参照）への装着保持性が高まる。
【００６１】
また、前記第２実施形態では、糸挿入部６を、糸挿入部５に対して直線部３の周りに略９０度ずらして配設したが、これに限られることはなく、糸挿入部６を第１実施形態と同様に上方向に曲線状に折り曲げて配設し、糸挿入部５を、糸挿入部６に対して直線部３の周りに略９０度ずらして配設してもよい。
【符号の説明】
【００６２】
１      第１の挟持部
１ａ    挟持孔
２      第２の挟持部
２ａ    挟持孔
３      直線部
４      針部
５      糸挿入部
６      糸挿入部
Ｈ      釣針
Ｌ１    仕掛け糸
Ｌ２    仕掛け糸
【図１】
2011250710.tif 000003
【図２】
2011250710.tif 000004
【図３】
2011250710.tif 000005
【図４】
2011250710.tif 000006
【図５】
2011250710.tif 000007
【図６】
2011250710.tif 000008
【図７】
2011250710.tif 000009
【図８】
2011250710.tif 000010
【図９】
2011250710.tif 000011
【図１０】
2011250710.tif 000012